(57)【要約】【課題】高所作業車のバケットの積載重量及びウインチでの吊り上げ重量を正確かつ容易に取得すること。【解決手段】バケットと、バケットに配置されたウインチとを備えた高所作業車のバケットへの搭載荷重及びウインチでの吊荷重の管理を行う高所作業車の荷重管理装置１を設定すべきデータを入力する入力装置１４と、作業種目に対応して作業に必要な機材、材料、人員、工具を含む必要資材の数量データを格納した作業種目別資材データベース２２と、機材、材料、工具を含む資材の重量に関するデータを格納した工具重量データベース２３と、入力された作業種目に基づいて、前記作業種目別資材データベース及び前記重量データベースを参照して高所作業車のバケットへの搭載荷重及びウインチでの吊荷重を計算するＣＰＵ１１と、算出した結果を出力する出力装置１５とを備えるものとする。【選択図】図１
2008094549.tif 000002
【特許請求の範囲】
【請求項１】
メインブームに配置されたバケットと、バケットに配置されたサブブームにおける吊荷の昇降を行うウインチとを備えた高所作業車のバケットへの搭載荷重及びウインチでの吊荷重の管理を行う高所作業車の荷重管理装置であって、
データを入力する入力装置と、
作業種目に対応して作業に必要な機材、材料、人員、工具を含む必要資材の数量データを格納した作業種目別資材データベースと、
機材、材料、工具を含む資材の重量に関するデータを格納した重量データベースと、
入力された作業種目に基づいて、前記作業種目別資材データベース及び前記重量データベースを参照して高所作業車のバケットへの搭載荷重及びウインチでの吊荷重を算出する荷重算出処理装置と、
算出した結果を出力する出力装置と、
を備えた高所作業車の荷重管理装置。
【請求項２】
高所作業車の車種別のバケットの許容搭載量及びウインチの許容吊荷重量に関するデータを格納した高所作業車データベースを備え、
前記荷重算出処理装置は、前記高所作業車データベースを参照して高所作業車のバケットへの搭載荷重及びウインチでの吊荷重を計算する請求項１記載の高所作業車の荷重管理装置。
【請求項３】
高所作業車のバケットの許容搭載量及びウインチの許容吊荷重量と、前記荷重計算装置が算出したバケットへの搭載荷重及びウインチでの吊荷重とを比較し、比較結果を前記出力装置に出力する比較装置を備える請求項１又は２記載の高所作業車の荷重管理装置。
【請求項４】
メインブームに配置されたバケットと、バケットに配置されたサブブームにおける吊荷の昇降を行うウインチとを備えた高所作業車のウインチの吊荷重の管理を行う高所作業車の荷重管理装置であって、
データを入力する入力装置と、
ウインチの吊荷である樹木又は電柱の種類、その形態を特徴づける数値、及び、その重量との関係を格納した吊荷重量データベースと、
入力された樹木又は電柱の種類及び前記形態を特徴づけるデータに基づいて前記吊荷重量データベースを参照して樹木又は電柱の重量を算出する荷重算出処理装置と、
算出した結果を出力する出力装置と、
を備えた高所作業車の荷重管理装置。
【請求項５】
メインブームに配置されたバケットと、バケットに配置されたサブブームにおける吊荷の昇降を行うウインチとを備えた高所作業車のウインチの吊荷重の管理を行う高所作業車の荷重管理装置であって、
データを入力する入力装置と、
ウインチの吊荷である樹木又は電柱の種類、その形態を特徴づける数値、及び、その重量の関係を格納した吊荷重量データベースと、
入力されたウインチの許容吊荷重量及び樹木又は電柱の種類及び前記形態を特徴づけるデータに基づいて前記吊荷重量データベースを参照して樹木又は電柱の切断長寸法を出力する荷重算出処理装置と、
算出した結果を出力する出力装置と、
を備えた高所作業車の荷重管理装置。
【発明の詳細な説明】
【技術分野】
【０００１】
本発明は、高所作業車の荷重管理装置に係り、特に高所作業車のバケットやウインチで許容される荷重を超えた荷重を搭載あるいは吊ることを未然に防止することができる高所作業車の荷重管理装置に関する。
【背景技術】
【０００２】
高所作業車として、作業者が乗載可能なバケットと、吊り上げ用のウインチを設けたサブブームとをメインブームの先端に取り付けて構成されたものがある。このような高所作業車にあっては、バケットに作業者が必要な工具、材料を持参して搭乗し、ウインチでサブブームから作業に必要な資材等を吊るようにしている。
【０００３】
図１２は変圧器の吊替作業を行っている高所作業車を示す模式図である。高所作業車１００は、図１２に示すように、車体１１０にはメインブーム１２０取り付けられており、メインブーム１２０の先端には作業者２０１、２０２が搭乗可能なバケット１３０と、ウインチ１４０とサブブーム１５０とを備え、吊り上げ物、例えば変圧器２１０の吊り上げ等を行う。なお、図中符号１６０は車体１１０を支持するアウトリガー、２０３は電柱２２０上で作業を行う作業者を示している。
【０００４】
ところで、高所作業車１００のバケット１３０に搭載できる重量は限りがあり（例えば２００ｋｇ）、また、ウインチ１４０で吊り上げることができる荷重にも限りがある（例えば４９０ｋｇ）。そして、バケット１３０及びウインチ１４０はメインブーム１２０で支承されているから、バケット１３０及びウインチ１４０の合計で支持できる荷重にも制限がある（例えば合計で５９０ｋｇ）。
【０００５】
また、樹木の伐採や電柱の切断を行うとき、伐採して落下する倒木、枝、電柱を高所作業車のウインチで吊りながら切断することがある。
【０００６】
図１３は倒木の伐採作業を行っている高所作業車を示す模式図である。この例では、高所作業車１００のバケット１３０に搭乗した作業者２０１がウインチ１４０とサブブーム１５０を使用して樹木２５０の枝２６０を吊りながら、作業者２０２がチェーンソー２３０で枝２６０を切り離すものとしている。
【０００７】
このように、メインブームの先端に、バケットと、吊り上げ用のウインチを設けたサブブームを備えた高所作業車としては、特許文献１に開示されたものがある。
【０００８】
【特許文献１】特開平１０−２７３２９０号公報
【発明の開示】
【発明が解決しようとする課題】
【０００９】
ところで、上述のように、バケット１３０に作業者が搭乗し、ウインチ１４０で吊り上げ物を吊り上げるに際しては許容重量が定められており、バケット１３０の積載重量及びウインチ１４０の吊り上げ荷重を把握しておく必要がある。また、樹木等を伐採する際にも、ウインチ１４０で吊り下げる樹木の重量を予め見積もって、使用している高所作業車１００の許容範囲において樹木を吊り下げる必要がある。
【００１０】
しかしながら、前者の場合にあっては、作業に使用する材料、工具は多岐にわたる。即ち、変圧器の吊替作業を例としても、作業者２０１、２０２は安全帯一式及び防具類を着用し、工具等として間接操作棒、間接先端工具、設置短路、クリッパー、油圧圧縮ヘッド、インパクトレンチ、ロープ類を持参する。また、吊り上げる変圧器にしても使用する種類によりその重量が異なっている。そのためこれらの重量を積算してバケット１３０のあるいはウインチ１４０で吊り上げる重量を見積もることは煩雑な作業となる。
【００１１】
また、後者の場合にあっては、吊り下げ対象である樹木や電柱の種類は現場によりその種類が異なる上、伐採する樹木、電柱の長さ、太さはその場でなければ分からず、重量の見積もりは容易でなかった。また、図１３に示すように、樹木を途中から切断する場合に、樹木をどの程度の長さで切断すればウインチの許容重量内に収まるかを見極めることは難しい。
【００１２】
従来、このような高所作業車における作業において、バケットへの積載重量やウインチでの吊り上げ重量の見積もりは、作業責任者の経験や勘で行われるのが実情である。
【００１３】
そこで、本発明は、正確なバケットの積載重量及びウインチでの吊り上げ重量を容易に取得することができる高所作業車の荷重管理装置を提供することを目的とする。
【課題を解決するための手段】
【００１４】
本発明において上記の課題を解決するための手段は、メインブームに配置されたバケットと、バケットに配置されたサブブームにおける吊荷の昇降を行うウインチとを備えた高所作業車のバケットへの搭載加重及びウインチでの吊荷重の管理を行う高所作業車の荷重管理装置であって、データを入力する入力装置と、作業種目に対応して作業に必要な機材、材料、人員、工具を含む必要資材の数量データを格納した作業種目別資材データベースと、機材、材料、工具を含む資材の重量に関するデータを格納した重量データベースと、入力された作業種目に基づいて、前記作業種目別資材データベース及び前記重量データベースを参照して高所作業車のバケットへの搭載荷重及びウインチでの吊荷重を算出する荷重算出処理装置と、算出した結果を出力する出力装置と、を備えた高所作業車の荷重管理装置である。
【００１５】
また、本発明の他の手段は、メインブームに配置されたバケットと、バケットに配置されたサブブームにおける吊荷の昇降を行うウインチとを備えた高所作業車のウインチの吊荷重の管理を行う高所作業車の荷重管理装置であって、データを入力する入力装置と、ウインチの吊荷である樹木又は電柱の種類、その形態を特徴づける数値、及び、その重量との関係を格納した吊荷重量データベースと、入力された樹木又は電柱の種類及び前記形態を特徴づけるデータに基づいて前記吊荷重量データベースを参照して樹木又は電柱の重量を算出する荷重算出処理装置と、算出した結果を出力する出力装置と、を備えた高所作業車の荷重管理装置である。
【００１６】
そして、本発明のその他の手段は、メインブームに配置されたバケットと、バケットに配置されたサブブームにおける吊荷の昇降を行うウインチとを備えた高所作業車のウインチの吊荷重の管理を行う高所作業車の荷重管理装置であって、データを入力する入力装置と、ウインチの吊荷である樹木又は電柱の種類、その形態を特徴づける数値、及び、その重量の関係を格納した吊荷重量データベースと、入力されたウインチの許容吊荷重量、及び、樹木又は電柱の種類及び前記形態を特徴づけるデータに基づいて前記吊荷重量データベースを参照して樹木又は電柱の切断長寸法を出力する荷重算出処理装置と、算出した結果を出力する出力装置と、を備えた高所作業車の荷重管理装置である。
【発明の効果】
【００１７】
本発明によれば、入力装置に作業種目を入力するだけで、荷重算出処理装置は、作業種目別資材データベース及び重量データベースを参照してバケット及びウインチの荷重を算出して出力装置に表示するから、正確なバケットの積載重量及びウインチでの吊り上げ重量を容易に取得することができる。
【００１８】
また、本発明によれば、荷重算出処理装置は、入力装置に入力された樹木の形態に関する値から、樹木データベースを参照して樹木の重量あるいは切断長さを出力装置に表示するから、正確な伐採に必要な情報を容易に取得することができる。
【発明を実施するための最良の形態】
【００１９】
以下本発明の実施の形態に係る高所作業車の荷重管理装置を図１乃至図１１に基づいて説明する。
【００２０】
本例に係る高所作業車の荷重管理装置１は、ハンディターミナル等の形態端末として構成されており、入力された高所作業車の車種、作業種目に基づいて、バケットへの積載荷重及びウインチでの吊り荷重が適正であるかを判定する。即ち、荷重管理装置１は、高所作業車のバケットの許容搭載量及びウインチの許容吊荷重量と、前記荷重計算装置が算出したバケットへの搭載荷重及びウインチでの吊荷重とを比較し、比較結果を出力すると共に、許容荷重を超える場合には警報を発生する。
【００２１】
また、荷重管理装置１は、入力された樹木あるいは電柱の種類、太さ、長さを含むデータに基づいて樹木の重量を出力する他、入力された樹木あるいは電柱の種類、太さ、及びウインチの許容吊荷重を含むデータに基づいて、ウインチで吊ることができる樹木の長さを出力する。
【００２２】
図１は実施の形態に係る高所作業車の荷重管理装置の電気的構成を示すブロック図である。荷重管理装置１はマイクロコンピュータ１０を内蔵している。マイクロコンピュータ１０は、各部を集中的に制御するＣＰＵ１１に、ＲＯＭ１２とＲＡＭ１３がバスライン１６を介してバス接続されて構成されている。ＲＡＭ１３は揮発性メモリであるので、バックアップ電源であるバッテリによってバックアップされている。ＲＯＭ１２には、制御プログラム等の固定的データが予め格納してある。
【００２３】
本実施例では、ＲＯＭ１２に、荷重算出処理プログラム及び比較プログラムが格納されている。また、ＲＡＭ１３は、ワークエリアとして使用される。
【００２４】
このように構成されたマイクロコンピュータ１０には、各種データを入力するキーボード等の入力装置１４、液晶表示装置、音声出力装置等の出力装置１５がバスライン１６を介して接続されている。
【００２５】
そして、マイクロコンピュータ１０には、データベースを格納するハードディスクドライブ２０が搭載されており、このハードディスクドライブ２０には、車種別のバケット及びウインチの許容荷重を格納した高所作業車データベース２１、作業種目別に必要となる人員、工具、資材等の数量を格納した作業種目別資材データベース２２、各人員、工具、資材等の単位荷重を格納した重量データベースとしての機材・工具重量データベース２３、吊荷となる樹木又は電柱の重量を入力されたデータから推定するためのデータを格納した吊荷重量データベース２４が格納されている。
【００２６】
次に各データベースについて説明する。
【００２７】
図２は高所作業車データベースの内容を示す模式図である。
【００２８】
高所作業車データベース２１は、使用する車種別にバケットの搭載許容重量と、ウインチの許容吊荷重量を格納している。例えば、車種：ａでは、バケット搭載許容重量：２００ｋｇ、ウインチ許容吊荷重：４９０ｋｇ、バケットウインチ合計荷重：５９０ｋｇのごとくである。
【００２９】
なお、荷重管理装置１では、この重量は、高所作業車データベース２１に格納されていない場合もあるので、入力装置から入力できるものとしている。
【００３０】
図３は作業種目別資材データベースの内容を示す模式図である。
【００３１】
作業種目別資材データベース２２は、作業種目別に基づいて吊り対象物（吊荷）と、バケットへの搭乗人員を含む積載物の数量を参照できる。この例では、１．変圧器吊替作業、２．防護管取付作業、３．工事用開閉器取付，縁線切断作業、４．高圧碍子取替作業（停電）、５．断線修理作業（停電）、６．伐採作業について、ウインチでの吊荷、バケットへの積載物を格納している。
【００３２】
例えば、１．変圧器吊替作業についてみると、ウインチでの吊り対象物は変圧器であり、この変圧器は交換現場によりその機種が定まるため、必要により、その機種を選択できるようにしている。また、バケットには、２名が搭乗し、工具として間接操作棒、間接先端工具、安全帯一式、接地短路、クリッパー、油圧圧縮ヘッドを搭載し、更に防護類、インパクトレンチ、ローブ類を搭載する。
【００３３】
このような搭載物及び機材は、作業種目についての作業手順を元に定められている。参考のため、各作業種目について簡単に説明する。
【００３４】
図４は変圧器吊替作業の手順を示すフローチャートである。変圧器吊替作業において、バケット側作業（ステップＳＡ１１〜ＳＡ１９）と、柱上作業（ＳＢ１１〜ＳＢ１９）がなされる。即ち、ここでは、高所作業車の設置（ＳＡ１１）、高所作業車乗車，移動（ＳＡ１２）、高圧引下線切断（停電）（ＳＡ１３）、変圧器吊下げ準備，移動（ＳＡ１４）、ウインチ準備，玉掛（ＳＡ１５）がなされ、これらの作業と並行して柱上では、昇柱（ＳＢ１１）、カット開放（ＳＢ１２）、低圧逆充電処置（ＳＢ１３）、変圧器低圧側切離し（吊下げ準備）（ＳＢ１４）、低圧線接続準備（ＳＢ１５）がなされる。
【００３５】
そして、この状態でバケット側では、ウインチを使用しての変圧器吊り下げ（ＳＡ１６）がなされたのち、変圧器吊上げ（ＳＡ１７）、高圧引下線接続（ＳＡ１８）、変圧器低圧側接続（ＳＡ１９）がなされる。
【００３６】
一方柱上では、吊り上げられた変圧器の取り付け（ＳＢ１６）、低圧線接続準備（ＳＢ１７）、変圧器低圧側接続（ＳＢ１８）、カット投入（ＳＢ１９）がなされる。
【００３７】
図５は防護管取付作業の手順を示すフローチャートである。防護管取付作業において、バケット側では、高所作業車の設置（ＳＡ２１）、高所作業車乗車，移動、（ＳＡ２２）、防護菅挿入器取り付け（ＳＡ２３）、防護菅吊り上げ（ＳＡ２４）、防護菅取り付け（ＳＡ２５）がなされ、
一方、地上では、防護菅挿入器等準備（ＳＢ２１）、防護菅等準備（ＳＢ２２）がなされる。
【００３８】
図６は工事用開閉器取付、縁線切断作業の手順を示すフローチャートである。工事用開閉器取付、縁線切断作業では、バケット側では、高所作業車の設置（ＳＡ３１）、高所作業車乗車，移動（ＳＡ３２）、工事用開閉器吊り上げ（ＳＡ３３）、工事用開閉器取り付け（ＳＡ３４）、ケーブル吊り上げ（ＳＡ３５）、ケーブル取り付け・架線側取り付け（ＳＡ３６）、縁線切断（３線）（ＳＡ３７）がなされる。なお、柱上側では、必要により作業を行う（ＳＢ３１）。
【００３９】
図７は断線修理作業の手順を示すフローチャートである。断線修理作業において、バケット側では、高所作業車の設置（ＳＡ４１）、接地短絡取り付け（ＳＡ４２）、高所作業車移動（必要により）（ＳＡ４３）、断線箇所等の点検，接続準備（ＳＡ４４）、シメラー取り付け・張線（ＳＡ４５）、圧縮接続（ＳＡ４６）、接地短絡取り外し（ＳＡ４７）がなされる。一方、柱上側では、昇柱（ＳＢ４１）、接地短絡取り付け（ＳＢ４２）、地上者と地上断線箇所の接続（ＳＢ４３）がなされる。
【００４０】
次に工具重量データベースについて説明する。図８は重量データベースの内容を示す模式図である。工具重量データベース２３は、各工具、機器の単位量当たりの重量データをその名称から参照できる。例えば、図８に示す例では、５０音順に機材等が列挙され、機材毎の重量データが格納されている。例えば、安全帯一式Ａｋｇ、インパクトレンチＢｋｇのごとくである。
【００４１】
吊荷重量データベース２４は、伐採、切断されウインチで吊り下げられる対象となる樹木、電柱の種類、その形態を特定できる太さ、長さ等に基づいて重量データを参照できる他、吊荷重量、樹木の種類、太さに基づいて樹木の吊荷可能な長さ寸法データが参照できる。
【００４２】
即ち、吊荷重量データベース２４では、樹木の種類、幹太さ、樹高に対応する樹木重量、電柱の種類、太さ、長さから重量が参照できる。また、吊荷重量データベース２４では、ウインチで吊れる設定荷重、樹木の種類、樹木の太さに基づいて伐採する樹木の長さ寸法が参照できる。
【００４３】
次に本例に係る荷重管理装置１の使用例について説明する。
【００４４】
図９は高所作業車の荷重管理装置の使用例を示すフローチャートである。この使用例は、作業種目を入力装置から入力することにより、バケットへの搭載荷重、及びウインチの吊荷重が表示されるものである。
【００４５】
まず、入力装置１４から高所作業車の車種を入力すると（ＳＣ１）、高所作業車データベース２１から高所作業車のバケットの搭載許容重量とウインチの許容吊荷重とが取得される。
【００４６】
例えば車種ａを設定すると、バケット搭載許容重量：２００ｋｇ、ウインチ許容吊荷重：４９０ｋｇ、バケットウインチ合計荷重：５９０ｋｇが取得される。
【００４７】
次いで作業種目を入力する（ＳＣ２）すると、工具重量データベース２３から入力した作業種目に対応するバケットの搭乗人数とバケットの積載工具の数が取得される（ＳＣ３、ＳＣ４）。
【００４８】
例えば、作業種目１．変圧器吊替作業が入力されると、搭乗者２名、工具：間接操作棒、間接先端工具、安全帯一式、接地短路、クリッパー、油圧圧縮ヘッドを搭載し、更に防護類、インパクトレンチ、ローブ類が得られる。
【００４９】
更に、この搭載人数及び搭載工具のリストから工具重量データベース２３を参照して、各工具の重量を取得して、搭乗人員の体重を加えたバケットへの積載量が算出される（ＳＣ５）。このとき、入力装置から搭乗人員の体重を入力できたり、追加する機材についてその重量を加算できたりすることが好ましい。
【００５０】
次いで、作業種目別資材データベース２２からウインチで吊られる物品が取得される（ＳＣ６）。変圧器吊替作業では、ウインチ吊り上げ物品として変圧器が取得される。この際変圧器の種類を使用するものに設定できるようにすることが好ましい。そして、工具重量データベース２３を参照して物品の重量を算出する（ＳＣ７）。
【００５１】
そして、算出されたバケット搭載重量が、バケット許容搭載量と比較判定され、その結果が表示装置に表示される（ＳＣ８）。この表示は、バケット許容搭載量との重量差とすることができる他、過搭載状態となるときに警報音が発せられるようにしてもよい。
【００５２】
次いで、算出されたウインチ吊荷重量が、ウインチ許容吊荷量と比較判定され、その結果が表示装置に表示される（ＳＣ９）。この表示は、ウインチ許容搭載量との重量差とすることができる他、過搭載状態となるときに警報音が発せられるようにしてもよい。
【００５３】
なお、上記の例では、当初から使用する高所作業車の車種を入力するようにしたが、まず、作業種目を指定して、バケット搭載重量、ウインチ吊荷重を算出して、これらの重量を高所作業車、または、クレーン車の選定の参考にすることができる。
【００５４】
また、作業現場等において、既に準備した工具、資材の種類、数を入力装置から入力して、バケットの搭載重量、ウインチの吊荷重量を算出し、バケットに搭載したりウインチで吊荷したりすることができるかを判断することができる。この場合、工具に貼り付けたバーコード、工具リストに印刷したバーコードをバーコードリーダで読み取って工具の種類及び数を入力することができる。
【００５５】
次に荷重管理装置１の他の使用例について説明する。
【００５６】
図１０は高所作業車の荷重管理装置の他の使用例を示すフローチャートである。この使用例は、ウインチで伐採する樹木あるいは切断する電柱の重量を算出するものである。この算出した重量で使用するウインチで樹木を吊り下げることができるかどうかの判定を行う。ここでは、樹木を対象とする例について説明する。
【００５７】
まず、入力装置１４から樹木の種類を入力する（ＳＤ１）。次いで樹木の幹太さを入力する（ＳＤ２）、更に樹木の高さ（長さ）を入力する（ＳＤ３）。すると、吊荷重量データベース２４から樹木の重量が算出され（ＳＤ４）、出力装置１５に表示される（ＳＤ５）。作業者は、算出された重量を参考にして樹木の吊り下げを行うことができる。なお、電柱においても同様に重量の算出を行うことができる。
【００５８】
次に荷重管理装置１のその他の使用例について説明する。
【００５９】
図１１は高所作業車の荷重管理装置のその他の使用例を示すフローチャートである。この使用例は、図１３で示したように、ウインチで伐採する樹木を吊りながら切断を行う際の、樹木の切断長を算出するものである。この算出した長さに切断すれば、使用するウインチで樹木を吊り下げることができる。ここでは、樹木を対象とする例について説明する。
【００６０】
まず、入力装置１４から樹木の種類を入力する（ＳＥ１）。次いで樹木の幹太さを入力する（ＳＥ２）、更にウインチの許容吊荷重量を入力する（ＳＥ３）。すると、吊荷重量データベース２４から樹木の切断長が取得され（ＳＥ４）、出力装置１５に表示される（ＳＥ５）。作業者は、算出された長さ寸法を参考にして樹木の切断、吊り下げを行うことができる。電柱においても同様に重量の算出を行うことができる。
【００６１】
なお、上記例においては、高所作業車の荷重管理装置は、携帯端末であり、データベースを格納するハードディスクドライブ２０を内蔵するものとして説明したが、携帯端末は通信機能を備えるものとして、データベースを備える基地局との通信によりデータベースにアクセスできるものとしてもよい。また、高所作業車の荷重管理装置として、携帯端末に換え同様の構成要素を備えたパーソナルコンピュータを採用することができる。
【図面の簡単な説明】
【００６２】
【図１】実施の形態に係る高所作業車の荷重管理装置の電気的構成を示すブロック図である。
【図２】高所作業車データベースの内容を示す模式図である。
【図３】作業種目別資材データベースの内容を示す模式図である
【図４】変圧器吊替作業の手順を示すフローチャートである。
【図５】防護管取付作業の手順を示すフローチャートである。
【図６】工事用開閉器取付、縁線切断作業の手順を示すフローチャートである。
【図７】断線修理作業の手順を示すフローチャートである。
【図８】重量データベースの内容を示す模式図である。
【図９】高所作業車の荷重管理装置の使用例を示すフローチャートである。
【図１０】高所作業車の荷重管理装置の他の使用例を示すフローチャートである。
【図１１】高所作業車の荷重管理装置のその他の使用例を示すフローチャートである。
【図１２】変圧器吊替作業における高所作業車の作業状態を示す模式図である。
【図１３】樹木伐採作業における高所作業車の作業状態を示す模式図である。
【符号の説明】
【００６３】
１  荷重管理装置
１１  ＣＰＵ（荷重算出処理装置）
１４  入力装置
１５  出力装置
２１  高所作業車データベース
２２  作業種目別資材データベース
２３  工具重量データベース
２４  吊荷重量データベース
【図１】
2008094549.tif 000003
【図２】
2008094549.tif 000004
【図３】
2008094549.tif 000005
【図４】
2008094549.tif 000006
【図５】
2008094549.tif 000007
【図６】
2008094549.tif 000008
【図７】
2008094549.tif 000009
【図８】
2008094549.tif 000010
【図９】
2008094549.tif 000011
【図１０】
2008094549.tif 000012
【図１１】
2008094549.tif 000013
【図１２】
2008094549.tif 000014
【図１３】
2008094549.tif 000015